(57)【要約】      （修正有）【課題】中フタの開閉と底フタのロックの状態を確実に行え、さらに、ロックの状態からの解除を確実にすることができる遠投撒き餌カゴ装置を提供する。【解決手段】鉛が充填された中フタ３０の開閉と底フタ４０のロックを確実に行うために、第一止め金連結部と、第二止め金連結部を備える。第一止め金連結部の主体は金属製の蝶番である。また、第二止め金連結部のロックを行うのが、底フタ４０と連結固定された止め金ロックピン３０２のフック部と、止め金ロックアーム２０１の先端部分がかみ合い、底フタ４０のロック行う。底フタ４０が上方に動くと、ガイドプレート３０１が動き、同時に止め金ロックピン３０２が上がり、止め金部のフック部が外れ、側面部の止め金ロックアーム２０１が跳ね上がり、ロック状態から解除される。この底フタ４０が上下遊動により中フタの開閉と底フタ４０のロックと解除を同時に行う。【選択図】図１
0003185660.tif 000002
【実用新案登録請求の範囲】
【請求項１】
中フタにふたの機能、底フタにロックと解除の機能を組み込んだ、底ふたの構造を二重に設け、当該底フタが上方に動くと、錘が充填されている当該中フタに貫通されているガイドプレートおよび止め金ロックピンが上方に動き、止め金部のフックが外れ、当該カゴ本体の側面に固定された止め金ロックアームが跳ね上がり、当該底フタのロック状態を解除としたところを特徴とする遠投撒き餌カゴ装置。
【請求項２】
当該カゴ本体の側面に取り付けてある一つの止め金ロックアームの先端部の形状を二段にすることで、当該中フタ開閉ピンと当該底フタのロックピンの二箇所を同時にかみ合わせ、当該底フタに当該中フタの重みが繋らない構造としたところを特徴とする遠投撒き餌カゴ装置。
【請求項３】
当該中フタの上面に針金状のステンレス棒を設け、当該中フタが開き始めると、当該ステンレス棒が当該カゴ本体の内側に当たり、当該中フタを半開とできるところを特徴とする遠投撒き餌カゴ装置。
【考案の詳細な説明】
【技術分野】
【０００１】  この考案は、開閉可能な中フタを開くことにより、開口を通して撒き餌さおよびつき餌を海中または水中に放出する撒き餌さカゴに関し、特に開口を確実に閉鎖させる中フタを固定、解除する技術に関する。
【背景技術】
【０００２】  カゴ投げ釣りは、遠投に投げることで釣果が増すといえる。このために、一般的に汎用されているカゴの形状は先端部に鋭角の錘とし、錘の軸にステンレスの棒を固定させ、その軸に上下に動くカゴを上部と下部に分離させて組み込んである。これにより、飛行中の安定（カゴの重心をなるべく先端部に置くこと）と流線型を加味した形状としている。
投げ込むポイントまでの距離が数十メーターから場合によっては百メーターを越える、カゴ投げ釣りでは、この飛距離を確保するために、カゴの形状と重量と重心は極めて重要である。同時に、カゴは海面から五メーターから二十メーターに上がり、これらの頂点から海面に向かって放物線を描き落下する。一方、底ふたが反転するタイプのカゴは、カゴ本体が海面に着水時の衝撃を底ふたが受けて、カゴ本体と底ふたに隙間を設けることでロック状態を解除させている。このため、飛行中の安定と入水角度と、カゴの向きも一定ではない異なる状況下においても、カゴの役割を達成させるために、市販されている一般的な底ふたが反転するタイプのカゴの底ふたは丸みを帯びた形状とし、また、底ふたの錘を重くできず（重くすると着水時の勢いが増し、意図した底ふたの動きを阻害することになる）、カゴ本体に錘を取り付けていか、または、カゴ全体を金属の部材を用いて重量を確保している。これらのことから、カゴの形状が流線型でなく、また、カゴの重心が先端部から離れてしまい、遠投には不向きといえる。
【先行技術文献】
【特許文献】
【０００３】
【特許文献１】特許公開２００８−３０１７６２
【新案文献１】
実用新案公開６−４１４８１
【０００４】  新案文献１と特許文献１に記載された撒き餌さ装置は共に、カゴのふたの機能とロックと解除の機能が底ふたに組み込まれている。また、カゴ本体の側面にステンレス鋼線、ワイヤー又はピアノ線のような弾性変形可能な線状材を折り曲げて形成された部材が、底ふたのロック部材に作用させ、カゴ本体と底ふたのロックを確保している。また、新案文献１と特許文献１ともにカゴ本体と底ふたのロックの解除の方法は、カゴ本体と底ふたの間に隙間を設けることにより、水面に投げ込まれたときに、カゴ本体が受ける衝撃力を利用して、この隙間が閉じることで、底ふたのロック状態を解除させている。従って、投げ込むときの遠心力により内部の撒きえさ等が底ふたに押し付けられて、この隙間に異物が入ると、カゴ本体と底ふたのロック解除が不安定となることが問題である。また、カゴの形状が流線型ではなく遠投しにくい面がある。
【考案の概要】
【考案が解決しようとする課題】
【０００５】  この考案は、カゴの底ふたを二重の構造にして、ふたの機能とロック・解除の機能を個別の部材に作用させることで、カゴが水中に入るまでは確実に底ふたを閉じておくことができ、しかも、着水した後に底ふたを確実に開くことができる、遠投つりに適用することができる撒き餌技術を提供することを目的とする。
【課題を解決するための手段】
【０００６】  この考案の基本的な考え方は、カゴが水面に達するまでの第１段階では、中フタを確実に閉じた状態を維持した上、カゴが水面に達した時点以降の第２段階には、中フタを確実に開くことができる状態にすることにある。【０００７】  この考案を適用する遠投撒き餌カゴ装置は、カゴ（かご本体）が撒き餌およびつき餌を放出する開口をもち、その開口を中フタが開閉可能にふさいでいる。中フタは径方向の一端の第１端部が揺動支点側となり、その揺動支点側とは径方向反対の第２端部が止め側になっている。【０００８】  この考案では、カゴのふたを中フタと底フタの二重の構造とし、中フタに底フタの一部が組み合わされている。この組み合わされた個々の部位が別々に動くことで、中フタがカゴ本体のふたを行い、中フタの内部にある底フタに連結結合された部位がロックと解除を担う構造である。それによって着水時の異なる条件下に於いても、中フタの開閉と底フタのロックと解除を確実かつ安定した作動ができる。【０００９】  カゴの大半をプラスチック製とし、屋根上部に数個の穴と中フタの側面の止め金部には２ｍｍ程度の縦溝がある。これらの穴からカゴ本体と中フタの内部に残留する空気を海中に放出させ、その後は海水の入水口とさせることにより、ふた全体の動きと、カゴ本体の着水後の沈み込む下降移動の安定をさせている。【００１０】  第１端部の揺動支点部は、中フタの内側から上方に突き出た、金属性の厚さ３ｍｍの長方形の部材に円周方向に直径１ｍｍの穴に通し左右に曲げられたステンレス鋼線が連結されている。この左右２本のステンレス鋼線がカゴ本体の側面に縦方向に開けられた穴に圧入接着している。また、中フタ上面は金属材で閉じられており、更に、下部には鉛を溶かし込み錘の機能としている。【００１１】  反対側の第２端部の止め金側部は、底フタの上部に固定された３本の直径５ｍｍの金属材の円柱が中フタの下部の鉛に開けられた三箇所の穴に貫通させてある。中フタの内部に貫通された３本の円柱の上部に厚さ３ｍｍの円形の金属のガイドプレートが固定させている。このガイドプレートの止め金方向に先端をＬ字形にした直径１ｍｍのステンレス鋼線が止め金ロックピンとして固定している。止め金ロックピンの先端部は中フタの側面の縦溝から出ている。また、中フタの側面の縦溝の付近に直径１ｍｍのステンレス鋼線が中フタ開閉ピンとして２ｍｍ程度頭を出した状態に固定している。また、中フタの上部にふさがれている金属材の上面に直径０，６ｍｍのステンレス鋼線が半ストッパーとして先端をカールさせ、カゴ本体の内側に向けた状態にして固定されている。【００１２】  第２端部の止め側の相手はカゴ本体の側面の外壁に、１本の直径０，８ｍｍのステンレス鋼線が止め金ロックアームとして固定されている。このステンレス鋼線の先端部にはＬ字形とＵ字形に加工されている。Ｌ字形のところに止め金ロックピンのフックがはまり合う状態させることで底フタのロック状態にすることができる。また、Ｕ字形のところには中フタの側面に固定された中フタ開閉ピンを引っ掛けさせることで、開口部を閉じさせる状態にすることができる。【００１３】  円錐形の底フタが着水時の衝撃を受けると、底フタの上面に固定されて��る突き出た３本の円柱を通し上方に移動することで、連結固定されているガイドプレート、止め金ロックピンが同時に動く。また、３本の円柱が中フタの下部の鉛の部分を上下することで、底フタの首振りを阻止させている。なお、遊動する部分にはプラスチックをはめ込んであるため、金属同士が接触することを避けている。【００１４】  この考案の遠投撒き餌カゴ装置は、底フタが下がった状態、すなわち、中フタ内部のガイドプレートの先端の止め金ロックピンがロック状態で投げ込まれるので、それが水面に達するまでは、中フタは確実に閉じた状態を保つ。そして、カゴ本体が水面に達し、着水と同時に底フタが上方に持ち上がり、ガイドプレート、止め金ロックピンが上がり、カゴ本体の側面のステンレス鋼線の止め金ロックアームの先端部が跳ね上がることで、底フタのロックが解除される。従って、ふたをカゴ本体から簡単かつ確実に外すことができる。このため、水面に着水するときのカゴ本体に受ける衝撃力、入水角度およびカゴ本体の向きにより、カゴ本体に受ける条件が異なった状態に於いても安定した、カゴ本体と中フタが閉じた状態からの解除が可能となり、狙いとする水深に撒き餌を放出することができる。
【実施例】
【００１５】  図１は、遠投投げ釣りに適した遠投撒き餌カゴ装置の実施例を示す断面図である。遠投撒き餌カゴ装置３０００は、大半がプラスチックであり、撒き餌を入れるための内部空間を区画するカゴ本体２０と、そのカゴ本体２０の下に位置する中フタ部材３０に組み込まれた底フタ４０を備える。カゴ本体２０には、円筒形状の側壁２２と、その側壁の上方に円錐形状の屋根２４とがある。屋根２４には五の穴が開けてあり、また中央に、固定されたセンターロッド部材１０がある。センターロッド部材１０の上部の穴は、天秤を連結するための連結部である。【００１６】  カゴ本体２０の側壁２２の底部に開口部２００がある。その開口部２００を被うものが、鉛を充填してある中フタ部材３０である。中フタ部材３０が、開口部２００を閉じることによって、撒き餌をカゴ本体２０の内部に閉じ込め、また、開口部２００を開放することによって、カゴ本体２０の内部の撒き餌が開口部２００を通して海中または水中に放出する。遠投撒き餌カゴ装置３０００では、カゴ本体２０の底部の開口部２００が、撒き餌およびつき餌を放出するための出口と、撒き餌、つき餌を入れるための入口とを兼ねている。なお、中フタ部材３０の下部に、鉛を溶かし込んで一体化させ錘としての機能をもたせている。また、中フタ部材３０の内部に、底フタ部材４０に固定されている円柱の棒が中フタ部材３０の下部に貫通された穴を通して、ガイドプレート部材３０１が固定されている。【００１７】  開口部２００を開閉可能な中フタ部材３０は、開口部２００の径方向の一端の第１端部５００が揺動支点側となり、中フタ部材３０と底フタ部材４０の自重で開かせることができる。その揺動支点側とは径方向反対の第２端部が止め金連結部３００となっている。【００１８】  第１端部の揺動支点側は、中フタ部材３０の内側側面に固定された金属性の長方形の部材が突き出ている。この突き出た部分に外周方向に直径１ｍｍの穴に通し左右に曲げられたステンレス鋼線が連結されてある。この左右２本のステンレス鋼線がカゴ本体の側面の厚みに逆さ八字として縦方向に開けられた穴に圧入接着してある。また、中フタ部材３０の下部に鉛を溶かし込み錘の機能とし、重心を先端部になるようにしている。【００１９】  そのような第１端部の揺動支点側に対して、径方向反対の第２端部の止め金連結部は、底フタ部材４０に固定された３本の直径５ｍｍの金属材の円柱が中フタ部材３０の下部の鉛に開けられた穴に貫通させてある。中フタ部材３０の内部に貫通された３本の円柱の上部に厚さ３ｍｍの円形の金属のガイドプレート部材３０１が固定させてある。また、止め金方向にガイドプレート部材３０１の先端をＬ字形にした直径１ｍｍのステンレス鋼線が止め金ロックピン部材３０２として固定してある。止め金ロックピン部材３０２の先端部は中フタ部材３０の側面の中フタ溝部６００から出ている。また、中フタ溝部６００の付近に直径１ｍｍのステンレス鋼線の中フタ開閉ピンが２ｍｍ程度頭を出した状態にして固定してある。【００２０】  中フタ部材３０の上部は金属材でふさがれている。この金属材の上面に半ストッパー部材３０３が先端をカールさせ、カゴ本体の内側に向けた状態にして固定されている。中フタ部材３０が斜めに下がると、この半ストッパー部材３０３のカール部がカゴ内部の壁面に当たり、半開きの状態となる。【００２１】  第２端部の止め金の相手がカゴ本体の側面の開けられた、１本の直径０，８ｍｍのステンレス鋼線が止め金ロックステー部材２０１として上部を穴の中に入れて、下部が中フタ部材３０まで伸ばされている。この止め金ロックステー部材２０１の先端部はＬ字形とＵ字形に曲がり、上部に伸びて、側面の開けられた穴にいれてある。この穴の下にビスにより止め金ロックステー部材２０１が固定されている。止め金ロックステー部材２０１のＬ字形の箇所に止め金ロックピン部材３０２のフック部がはまり合い、底フタ部材４０のロック状態としている。また、Ｕ字形の箇所には中フタ部材３０に固定された中フタ開閉ピン部材３０４を引っ掛けることで開口部２００を閉じさせ、同時に、中フタ部材３０自体が下方向に動かないようにしてある。この二箇所による作用で止め金ロックステー部材２０１の無駄な動きを封じている。【００２２】  底フタ部材４０は中フタ部材３０の下に位置させてあり、プラスチック製の円錐の形状で、内部に３本の円柱が鉛と接着剤を充填させることで固定させている。また、カゴの総重量の何割かの重さの鉛等を溶かし込んで一体化させ、ロックの錘としての機能をもたせている。３本の円柱の上部は中フタ部材３０の内部で円形の金属のガイドプレート部材３０１が固定させてある。底フタ部材４０と中フタ部材３０の間のスライド部４００は約２ｍｍの隙間が出来るように組み込まれている。隙間があるときは中フタ部材３０の鉛の面がガイドプレート部材３０１を支えている。このスライド部４００の間隔を底フタ部材４０が上下に移動することでロックと解除の作用をさせている。【００２３】  カゴ本体が投げ込まれ、海面からの衝撃を受けると底フタ部材４０が上方に持ち上がり、止め金ロックピン部材３０２が上り、カゴ本体の側面の止め金ロックステー部材２０１のＬ字形とＵ字形の部分が跳ね上がり、ロックが解除される。勢いよく海中に投げ込まれたカゴがその勢いが弱くなると、カゴ下部の自重で、揺動部の蝶番部５０１を支点として反転する。このとき、開きかけた中フタ部材３０は、中フタ部材３０の上面に取り付けてある先端がカールした半ストッパー部材３０３がカゴ内部の壁面に当たり、半開きの状態となる。その後、カゴが海中を下降しはじめると下部に水圧が掛かり、再度、中フタ部材３０が閉じられる。そして、道糸に通された浮き部材が浮き止め糸によって固定されると、浮き部材の浮力によりカゴの下降が止まる。下降が止まると再びカゴ下部の自重により、半開きの状態となる。この状態のときに、釣竿をシャクルことで道糸が引かれ、カゴ全体が上に引き上げられ、屋根部２４の穴から海水が入り、内部のまき餌が下部に押されると同時に、底ふた全体に水圧がかかり、半開きの状態から中フタ部材３０が全開となる。【００２４】  従って、カゴ本体が投げ込まれるときの遠心力により内部のまき餌等が進行方向に押し付けられても確実に中フタ部材３０が閉じられている。同時に、水面に着水するときのカゴ本体の入水角度およびカゴの向き、衝撃力の強弱に関わらず、受ける条件が異なった状態���於いても安定した、カゴ本体と中フタ部材３０が閉じた状態からの解除が可能となり、狙いとする水深に撒き餌を放出することができる遠投に適した流線型の遠投撒き餌カゴ装置である。【００２５】  図２Ａ〜２Ｄは、図１の遠投撒き餌カゴ装置３０００の作動を順次示す断面図である。図２Ａは、撒き餌とつき餌をカゴ本体２０の内部に入れ、開口部２００を閉じた状態を示している。すなわち、側面２２に固定された止め金ロックアーム２０１の先端部のＬ字部に止め金ロックピン３０２のフック部にかみ合わされ、Ｕ字部に中フタ開閉ピン３０４が引っ掛ることで中フタ部材３０が閉じられている。また、底フタ部材４０の重量による下降に働く力が止め金ロックアーム２０１の跳ね上がろうとする力に勝り、ロックされることになる。また、半ストッパー部材３０３は中フタが閉じられているため、先端部はカゴ本体２０の内側壁面に接触していない。そのような状態で遠投撒き餌カゴ装置３０００を海に向かって投げ込まれるが、中フタ部材３０によって開口部２００が完全に閉じているので、投げ込まれる瞬時に、撒きえさ等が進行方向に押されても問題が無い。従って、投げ込む時の遠心力、または振動等による衝撃から中フタ部材３０が開いてしまうことを阻止している。【００２６】  図２Ｂは、遠投撒き餌カゴ装置３０００が海面に着水した直後の状態を示している。底フタ部材４０はそれまで、中フタ部材３０との間にスライド部４００の隙間を保っていたが、着水時の海面からの抵抗を受けて底フタ部材４０は上方に持ち上がり、中フタ部材３０の下部に当たり止る。同時に底フタ部材４０と連結固定されている止め金ロックピン３０２が持ち上がることでフック部がはずれ、止め金ロックアーム２０１が跳ね上がる。すなわち、底フタ部材４０のロック状態が解除される。この状態で海中を勢いよく移動する。【００２７】  図２Ｃは、遠投撒き餌カゴ装置３０００が着水後の、海中を下降中の状態を示している。海中に突入したカゴがその勢いが弱まると、蝶番軸５０１が揺動支点となり、中フタ部材３０が傾き開口部２００が開く。開口部２００が開き始めると中フタ部材３０の上面の半ストッパー部材３０３がカゴ本体２０の内側壁面に接触することになり、開口部２００が半開の状態で止まる。この状態で下降すると、底ふた全体にＡ方向からの水圧を受けて、再び、中フタ部材３０が閉じられて開口部２００が閉じられる。【００２８】  図２Ｄは、遠投撒き餌カゴ装置３０００が狙いとする水深に達した状態を示している。道糸に通された浮き部材が浮き止め糸によって固定されると、浮き部材の浮力により、カゴの下降が止まると、図２ＣのＡ方向からの水圧が無くなり、再び、蝶番軸５０１が揺動支点となり、中フタ部材３０が傾き開口部２００が半開きの状態となる。このときに釣竿をシャクルことで道糸が引かれ、カゴ全体が上に引き上げられ、屋根部２４の穴から海水が入り、内部の海水とまき餌が下部に押されると同時に、底ふた全体に水圧がかかり、開口部２００が半開きの状態から全開となる。この考案の遠投撒き餌カゴ装置３０００は、釣竿をシャクルことで開口部２００を全開にさせて撒き餌およびつき餌を放出させる。
【図面の簡単な説明】
【００２９】
【図１】この考案の実施例を示す断面図である。
【図２Ａ】ロック状態を示す断面図である。
【図２Ｂ】着水時に底フタが上に持ち上がった状態を示す断面図である。
【図２Ｃ】ロック状態を解除し、半開きの状態を示す断面図である。
【図２Ｄ】全体の底ふたが開いた状態を示す断面図である。
【図３】図１のＡＢ方向からのロック状態を示す表面図である。
【符号の説明】
【００３０】３０００  遠投撒き餌さカゴ装置
１０      センターロッド                    ２２      屋根部
２０      カゴ本体                          ２４      側面部
３０      中フタ                            ２００    開口部
４０      底フタ                            ３００    止め金連結部
５０      蝶番                              ４００    スライド部
２０１    止め金ロックアーム                ５００    揺動支点側部
３０１    ガイドプレート                    ６００    中フタ溝部
３０２    止め金ロックピン
３０３    半ストッパー
３０４    中フタ開閉ピン
５０１    蝶番軸
【図１】
0003185660.tif 000003
【図２Ａ】
0003185660.tif 000004
【図２Ｂ】
0003185660.tif 000005
【図２Ｃ】
0003185660.tif 000006
【図２Ｄ】
0003185660.tif 000007
【図３】
0003185660.tif 000008
【手続補正書】
【提出日】平成25年6月11日(2013.6.11)
【手続補正１】
【補正対象書類名】実用新案登録請求の範囲
【補正対象項目名】請求項２
【補正方法】変更
【補正の内容】
【請求項２】
当該カゴ本体の側面に取り付けてある一つの止め金ロックアームの先端部の形状を二段にすることで、当該中フタ開閉ピンと当該底フタのロックピンの二箇所を同時にかみ合わせ、当該底フタに当該中フタの重みが繋らない構造としたところを特徴とする請求項１記載の遠投撒き餌カゴ装置。
【手続補正２】
【補正対象書類名】実用新案登録請求の範囲
【補正対象項目名】請求項３
【補正方法】変更
【補正の内容】
【請求項３】
当該中フタの上面に針金状のステンレス棒を設け、当該中フタが開き始めると、当該ステンレス棒が当該カゴ本体の内側に当たり、当該中フタを半開とできるところを特徴とする請求項１記載の遠投撤き餌カゴ装置。